(57)【要約】【課題】  複数の研磨部材の分離を抑制するペット用爪とぎボードを提供する。【解決手段】  ペット用爪とぎボード１００は、研磨面４０を有する第１の本体部、第１の凸部、及び第１の凹部を有する第１の研磨部材１１０と、第２の本体部、第２の凸部、及び第２の凹部を有し、第１の研磨部材１１０と実質的に同一の形状を有する第２の研磨部材１２０と、を備える。ペット用爪とぎボード１００は、第１の凹部と第２の凸部とが係合することにより、第１の研磨部材１１０と第２の研磨部材１２０とが連結されて構成される。ペット用爪とぎ器１０は、上記ペット用爪とぎボード１００とそのペット用爪とぎボード１００が組み込まれるケース２０とを備え、ケース２０と第１の研磨部材１１０の第１の本体部との間に隙間３０を有する。【選択図】図１
2020198838.tif 000002
【特許請求の範囲】
【請求項１】
研磨面を有する第１の本体部、第１の凸部、及び第１の凹部を有する第１の研磨部材と、
第２の本体部、第２の凸部、及び第２の凹部を有し、前記第１の研磨部材と実質的に同一の形状を有する第２の研磨部材と、を備え、
前記第１の凹部と前記第２の凸部とが係合することにより、前記第１の研磨部材と前記第２の研磨部材とが連結されて構成される、ペット用爪とぎボード。
【請求項２】
前記第１の研磨部材と前記第２の研磨部材とが連結される連結方向に直行する方向における前記第１の凸部の最大長さが、前記連結方向に直行する方向における前記第１の凸部と前記第１の本体部との接続部分の長さより大きい、
請求項１に記載のペット用爪とぎボード。
【請求項３】
請求項１又は２に記載のペット用爪とぎボードと、
前記ペット用爪とぎボードが組み込まれるケースと、を備え、
前記ケースと前記第１の本体部との間に隙間を有する、
ペット用爪とぎ器。
【発明の詳細な説明】
【技術分野】
【０００１】
本開示は、猫等のペットが爪を研ぐときに用いられるペット用爪とぎボード及びペット用爪とぎ器に関する。
【背景技術】
【０００２】
特許文献１（段落００２０及び図４参照）には、ケース３内に、複数個の研磨部材要素１ａ，１ｂ，１ｃに分割された研磨部材１が収納された猫の爪研ぎ具が開示されている。この猫の爪研ぎ具は、研磨部材要素１ａ，１ｂ，１ｃの配列を変更することにより、猫が爪を研ぐ時にその上に乗る頻度が相対的に高い或いはそれで猫が爪を研ぐ頻度が相対的に低いような位置にある研磨部材要素と、猫が爪を研ぐ時にその上に乗る頻度が相対的に低い或いはそれで猫が爪を研ぐ頻度が相対的に高いような位置にある研磨部材要素とを置換することが可能である。
【先行技術文献】
【特許文献】
【０００３】
【特許文献１】特開平１０−  ５６９０７号公報
【発明の概要】
【発明が解決しようとする課題】
【０００４】
上記特許文献１の猫の爪研ぎ具は、ケースを用いないと猫が爪を研ぐ時等に複数の研磨部材要素が分離するため、複数の研磨部材要素からなる研磨部材のみでペット用爪とぎ具として用いることができない。また、ケースと複数の研磨部材要素からなる研磨部材との間に実質的に隙間を有しないため、削りカス等のごみが研磨部材の表面に溜まってしまう。
【課題を解決するための手段】
【０００５】
本開示のペット用爪とぎボードは、研磨面を有する第１の本体部、第１の凸部、及び第１の凹部を有する第１の研磨部材と、第２の本体部、第２の凸部、及び第２の凹部を有し、第１の研磨部材と実質的に同一の形状を有する第２の研磨部材と、を備える。ペット用爪とぎボードは、第１の凹部と第２の凸部とが係合することにより、第１の研磨部材と第２の研磨部材とが連結されて構成される。
【０００６】
本開示のペット用爪とぎ器は、上記ペット用爪とぎボードとそのペット用爪とぎボードが組み込まれるケースとを備え、ケースと第１の研磨部材の第１の本体部との間に隙間を有する。
【発明の効果】
【０００７】
本開示のペット用爪とぎボードは、ケースを用いない場合にも、ペット用爪とぎ具として用いることができる。また、本開示のペット用爪とぎ器は、ケースと複数の研磨部材からなるペット用爪とぎボードとの間に隙間を有し、削りカス等のごみをその隙間に収納することができる。
【図面の簡単な説明】
【０００８】
【図１】図１は、実施の形態１に係るペット用爪とぎ器を示す斜視図である。
【図２】図２は、実施の形態１に係るペット用爪とぎ器を示す平面図である。
【図３】図３は、実施の形態１の変形例１に係るペット用爪とぎボードを示す平面図である。
【図４】図４は、実施の形態２に係るペット用爪とぎボードを示す平面図（ａ）及び正面図（ｂ）である。
【発明を実施するための形態】
【０００９】
（実施の形態１）
図１は、ペット用爪とぎ器１０を示す斜視図である。図２は、ペット用爪とぎ器１０を示す平面図である。図１及び図２に示すように、ペット用爪とぎ器１０は、ケース２０とケース２０に組み込まれたペット用爪とぎボード１００とを備える。
【００１０】
ケース２０は、矩形状を有し、４つの側壁と底部で形成された収納部を有し、その収納部にペット用爪とぎボード１００を収納する。
【００１１】
ペット用爪とぎボード１００は、３つの研磨部材１１０，１２０，１３０が連結方向に連結されて構成される。３つの研磨部材１１０，１２０，１３０はそれぞれ研磨面４０を有し、研磨面４０がケース２０の収納部から露出するようにケース２０に組み込まれている。研磨面４０は猫等のペットが爪を研ぐために十分な表面粗さを有しているが、その表面粗さを無視すると全体としては実質的に平面形状を有する。研磨面４０は、実施の形態１では、研磨部材１１０，１２０，１３０がケース２０の収納部から露出する面（表面）とケース２０の底部と接する面（裏面）の両面に存在するが、少なくとも片面にあればよい。
【００１２】
なお、実施の形態１では、ペット用爪とぎボード１００は３つの研磨部材１１０，１２０，１３０が連結されて構成されるが、２つ以上の研磨部材が連結されてペット用爪とぎボードを構成することができる。
【００１３】
ペット用爪とぎボード１００とケース２０とペット用爪とぎボード１００との間には隙間３０が存在する。隙間３０は、猫等のペットがペット用爪とぎボード１００上で爪を研いだ時に生じる削りカスが、ペット用爪とぎボード１００上から隙間３０に落下し収納される。
【００１４】
次に、研磨部材１１０，１２０，１３０の詳細を説明する。図２に示すように、研磨部材１１０は、本体部１１１、凸部１１２及び凹部１１３から構成され、研磨部材１２０は、本体部１２１、凸部１２２及び凹部１２３から構成され、研磨部材１３０は、本体部１３１、凸部１３２及び凹部１３３から構成される。３つ研磨部材１１０，１２０，１３０は実質的に同一形状を有するので、研磨部材１１０を中心に説明する。
【００１５】
凸部１１２及び凹部１１３は本体部１１１の連結方向の両側にそれぞれ位置する。凸部１１２は研磨部材が存在する部分であるのに対して、凹部１１３は研磨部材が存在しない空洞部分であるが、凸部１１２と凹部１１３とは実質的に同一形状を有する。即ち、本体部１１１は矩形状の研磨部材から凸部１１２に相当する部分がくり抜かれた形状を有し、そのくり抜かれた部分が凹部１１３に対応する。研磨部材１１０は、研磨面４０に平行な面について面対称となる形状を有し、研磨面４０に垂直でありかつ連結方向に平行である面について面対称となる形状を有する。
【００１６】
研磨部材１１０の凹部１１３に研磨部材１２０の凸部１２２を厚み方向から挿入し、凹部１１３と凸部１２２とが係合することにより、研磨部材１１０と研磨部材１２０とが連結される。同様に、研磨部材１２０の凹部１２３に研磨部材１３０の凸部１３２を厚み方向から挿入することにより、研磨部材１２０と研磨部材１３０とが連結される。このように、研磨部材１１０、研磨部材１２０及び研磨部材１３０が連結されることにより、ペット用爪とぎボード１００が構成される。ここで、研磨部材１１０、本体部１１１、凸部１１２及び凹部１１３がそれぞれ第１の研磨部材、第１の本体部、第１の凸部及び第１の凹部の一例であるとき、研磨部材１２０、本体部１２１、凸部１２２及び凹部１２３はそれぞれ第２の研磨部材、第２の本体部、第２の凸部及び第２の凹部の一例である。また、研磨部材１２０、本体部１２１、凸部１２２及び凹部１２３がそれぞれ第１の研磨部材、第１の本体部、第１の凸部及び第１の凹部の一例であるとき、研磨部材１３０、本体部１３１、凸部１３２及び凹部１３３はそれぞれ第２の研磨部材、第２の本体部、第２の凸部及び第２の凹部の一例である。また、厚み方向は、連結方向と直行し、連結方向と交差する方向の一例である。
【００１７】
ここで、図２に示すように、凸部１１２の幅方向の最大長さＷｍは、凸部１１２と本体部１１１との接続部分における幅方向の長さＷ０より大きい。即ち、凸部１１２は、上底が下底より小さい台形状を有し、上底に対応する部分が本体部１１１に接続される形状を有している。これにより、凹部に凸部が挿入されて研磨部材１１０，１２０，１３０が連結されたときに、連結方向に研磨部材１１０，１２０，１３０が分離することを抑制することができる。凸部の幅方向の最大長さＷｍが、接続部分の幅方向の長さＷ０より大きければ、凸部の形状は台形状に限られない。即ち、凸部の形状は、円形状や多角形状でもよい。
【００１８】
実施の形態１においては、研磨部材１１０，１２０，１３０の材質は、ダンボール紙である。但し、研磨部材１１０，１２０，１３０は、ケント紙、畳等のい草、麻、じゅうたん等の布、木材、樹脂等で構成することもできる。３つの研磨部材１１０，１２０，１３０の形状は実質的に同一であるが、これらの材質は必ずしも同一である必要はない。例えば、ペット用爪とぎボード１００において、研磨部材１１０を段ボール製とし、研磨部材１３０を樹脂製として、材質が異なるように構成することもできる。複数の猫を飼っている場合に、猫の種類や個体によって爪とぎ用に好む材質が異なる場合があるからである。
【００１９】
また、３つの研磨部材１１０，１２０，１３０のうち少なくとも１つの研磨部材が研磨面４０を有すればよい。例えば、ペット用爪とぎボード１００において、中央に位置する研磨部材１２０を、研磨面４０を有しない樹脂製の研磨部材として構成することもできる。３つの研磨部材１１０，１２０，１３０のうち両端に位置する研磨部材１１０，１３０の使用頻度が高く、中央に位置する研磨部材１２０の使用頻度が極めて低い場合もあるからである。
【００２０】
ペット用爪とぎボード１００をケース２０に組み込んでペット用爪とぎ器１０を構成すると、図２に示すように、研磨部材１１０の凸部１１２がケース２０の側壁内側に当接し、少なくとも、ケース２０と凸部１１２側の本体部１１１との間に隙間３０が形成される。この隙間３０は、猫等のペットがペット用爪とぎボード１００上で爪を研いだ時に生じる削りカスが溜まるスペースとなる。
【００２１】
また、研磨部材１３０の凹部１３３側の本体部１３１がケース２０の側壁内側に当接する。この時、凹部１３３の空洞部分は、研磨部材１３０の本体部１３１とケース２０により囲まれ、猫等のペットがペット用爪とぎボード１００上で爪を研いだ時に生じる削りカスが溜まるスペースとなる。
【００２２】
（効果等）
実施の形態１のペット用爪とぎボード１００及びペット用爪とぎ器１０は、ペット用爪とぎボード１００を構成する３つ研磨部材１１０，１２０，１３０が実質的に同一形状を有するので、例えば、ペットの猫が研磨部材１２０及び研磨部材１３０上に乗って研磨部材１１０の研磨面４０で爪を研く頻度が高く、研磨部材１１０の劣化が著しい場合に、研磨部材１２０，１３０に優先して研磨部材１１０だけを新しい研磨部材に交換することが可能である。これにより、ペット用爪とぎボードをすべて交換する場合に比べて、経済的である。
【００２３】
また、実施の形態１のペット用爪とぎボード１００は、研磨部材１２０の凹部１２３に研磨部材１１０の凸部１１２を厚み方向から挿入することにより２つの研磨部材を連結させるので、２つ研磨部材が幅方向に分離することを抑制することができる。また、実施の形態１のペット用爪とぎボード１００は、研磨部材が存在する部分である凸部が、実質的に同一形状を有し研磨部材が存在しない空洞部分である凹部に、厚み方向から挿入されて、複数の研磨部材が連結されて構成される。そして、凸部の幅方向の最大長さが凸部と本体部との接続部分における幅方向の長さより大きいので、２つ研磨部材が連結されたときに、連結方向に２つ研磨部材が分離することを抑制することができる。これにより、複数の研磨部材の分離を抑制するためのケース等の他の構成部材が不要である。
【００２４】
さらに、実施の形態１のペット用爪とぎ器１０は、凸部がケース２０の側壁内側に当接すると、ケース２０と研磨部材の本体部との間に隙間３０が形成されるので、猫等のペットがペット用爪とぎボード１００上で爪を研いだ時に生じる削りカスを隙間３０に溜めることができる。これにより、削りカスが研磨面４０上に溜まり研磨面４０を覆い隠すこと抑制することができる。
【００２５】
（変形例１）
図３は、変形例１に係るペット用爪とぎボード２００を示す平面図である。ペット用爪とぎボード２００を構成する３つの研磨部材２１０，２２０，２３０の形状が実施の形態１のペット用爪とぎボード１００と異なる。他の構成は、ペット用爪とぎボード１００と同じであるので、異なる部分を中心に説明し、同様の部分については詳細な説明を省略する。また、変形例１に係るペット用爪とぎボード２００を実施の形態１で説明したケース２０に組み込むことにより、実施の形態１で説明したペット用爪とぎ器１０と同様に、ペット用爪とぎ器を構成することができる。
【００２６】
ペット用爪とぎボード２００を構成する３つの研磨部材２１０，２２０，２３０の詳細を説明する。図３に示すように、研磨部材２１０は、本体部２１１、凸部２１２及び凹部２１３から構成され、研磨部材２２０は、本体部２２１、凸部２２２及び凹部２２３から構成され、研磨部材２３０は、本体部２３１、凸部２３２及び凹部２３３から構成される。３つ研磨部材２１０，２２０，２３０は実質的に同一形状を有するので、研磨部材１１０を中心に説明する。
【００２７】
凸部２１２及び凹部２１３は本体部２１１の連結方向の両側にそれぞれ位置する。凸部２１２は研磨部材が存在する部分であるのに対して、凹部２１３は研磨部材が存在しない空洞部分であるが、凸部２１２と凹部２１３とは実質的に同一形状を有する。即ち、本体部２１１は矩形状の研磨部材から凸部２１２に相当する部分がくり抜かれた形状を有し、そのくり抜かれた部分が凹部２１３に対応する。研磨部材２１０は、研磨面４０に平行な面について面対称となる形状を有し、研磨面４０に垂直でありかつ連結方向に平行である面について面対称となる形状を有する。
【００２８】
研磨部材２１０の凹部２１３に研磨部材２２０の凸部２２２を、厚み方向から挿入することにより、研磨部材２１０と研磨部材２２０とが連結される。同様に、研磨部材２２０の凹部２２３に研磨部材２３０の凸部２３２を、厚み方向から挿入することにより、研磨部材２２０と研磨部材２３０とが連結される。このように、研磨部材２１０、研磨部材２２０及び研磨部材２３０が連結されることにより、ペット用爪とぎボード２００が構成される。ここで、研磨部材２１０、本体部２１１、凸部２１２及び凹部２１３がそれぞれ第１の研磨部材、第１の本体部、第１の凸部及び第１の凹部の一例であるとき、研磨部材２２０、本体部２２１、凸部２２２及び凹部２２３はそれぞれ第２の研磨部材、第２の本体部、第２の凸部及び第２の凹部の一例である。また、研磨部材２２０、本体部２２１、凸部２２２及び凹部２２３がそれぞれ第１の研磨部材、第１の本体部、第１の凸部及び第１の凹部の一例であるとき、研磨部材２３０、本体部２３１、凸部２３２及び凹部２３３はそれぞれ第２の研磨部材、第２の本体部、第２の凸部及び第２の凹部の一例である。
【００２９】
図３に示すように、凸部２１２は、接続部２１４と係止部２１５とから構成される。この点で、接続部に相当する部分を有さずと係止部に相当する部分のみで構成される研磨部材１１０の凸部１１２（実施の形態１で説明したペット用爪とぎボード１００参照）と異なる。接続部２１４は、矩形状を有し、接続部２１４の幅方向の長さＷ０は、本体部２１１の幅方向の長さより小さい。
【００３０】
また、係止部２１５は、円形状を有し、接続部２１４を介して本体部２１１に接続されている。係止部２１５の幅方向の最大長さＷｍ（即ち、円形状の係止部２１５の直径に相当）は、接続部２１４の幅方向の長さＷ０より大きい。これにより、凹部に凸部が挿入されて研磨部材２１０，２２０，２３０が連結されたときに、連結方向に研磨部材２１０，２２０，２３０が分離することを抑制することができる。
【００３１】
変形例１では、係止部２１５は、円形状を有するが、実施の形態１で説明した研磨部材１１０の凸部１１２と同様に台形状に形成してもよい。係止部の幅方向の最大長さＷｍが、接続部の幅方向の長さＷ０より大きければ、係止部の形状は問わない。即ち、係止部の形状は、円形状や台形状に限られず、三角形状、矩形状、多角形状でもよい。
【００３２】
（効果等）
変形例１のペット用爪とぎボード２００においても、実施の形態１のペット用爪とぎボード１００と同様の効果を奏する。さらに、ペット用爪とぎボード２００においては、凸部を係止部と接続部により構成したので、形成される係止部の形状の自由度が大きい。
【００３３】
（実施の形態２）
図４は、ペット用爪とぎボード３００を示す平面図（ａ）及び正面図（ｂ）である。ペット用爪とぎボード３００を構成する３つの研磨部材３１０，３２０，３３０の形状が実施の形態１のペット用爪とぎボード１００と異なる。他の構成は、ペット用爪とぎボード１００と同じであるので、異なる部分を中心に説明し、同様の部分については詳細な説明を省略する。また、実施の形態２に係るペット用爪とぎボード３００を実施の形態１で説明したケース２０に組み込むことにより、実施の形態１で説明したペット用爪とぎ器１０と同様に、ペット用爪とぎ器を構成することができる。
【００３４】
ペット用爪とぎボード３００を構成する３つの研磨部材３１０，３２０，３３０の詳細を説明する。図４に示すように、研磨部材３１０は、本体部３１１、凸部３１２及び凹部３１３から構成され、研磨部材３２０は、本体部３２１、凸部３２２及び凹部３２３から構成され、研磨部材３３０は、本体部３３１、凸部３３２及び凹部３３３から構成される。３つ研磨部材３１０，３２０，３３０は実質的に同一形状を有するので、研磨部材３１０を中心に説明する。
【００３５】
凸部３１２及び凹部３１３は本体部３１１の連結方向の両側にそれぞれ位置する。凸部３１２は研磨部材が存在する部分であるのに対して、凹部３１３は研磨部材が存在しない空洞部分であるが、凸部３１２と凹部３１３とは実質的に同一形状を有する。即ち、本体部３１１は矩形状の研磨部材から凸部３１２に相当する部分がくり抜かれた形状を有し、そのくり抜かれた部分が凹部３１３に対応する。研磨部材３１０は、研磨面４０に平行な面について面対称となる形状を有し、研磨面４０に垂直でありかつ連結方向に平行である面について面対称となる形状を有する。
【００３６】
研磨部材３１０の凹部３１３に研磨部材３２０の凸部３２２を、幅方向から挿入することにより、研磨部材３１０と研磨部材３２０とが連結される。同様に、研磨部材３２０の凹部３２３に研磨部材３３０の凸部３３２を、厚み方向から挿入することにより、研磨部材３２０と研磨部材３３０とが連結される。このように、研磨部材３１０、研磨部材３２０及び研磨部材３３０が連結されることにより、ペット用爪とぎボード３００が構成される。この点、凹部に凸部を厚み方向から挿入することにより、複数の研磨部材が連結される実施の形態１で説明したペット用爪とぎボード１００，２００と異なる。ここで、研磨部材３１０、本体部３１１、凸部３１２及び凹部３１３がそれぞれ第１の研磨部材、第１の本体部、第１の凸部及び第１の凹部の一例であるとき、研磨部材３２０、本体部３２１、凸部３２２及び凹部３２３はそれぞれ第２の研磨部材、第２の本体部、第２の凸部及び第２の凹部の一例である。また、研磨部材３２０、本体部３２１、凸部３２２及び凹部３２３がそれぞれ第１の研磨部材、第１の本体部、第１の凸部及び第１の凹部の一例であるとき、研磨部材３３０、本体部３３１、凸部３３２及び凹部３３３はそれぞれ第２の研磨部材、第２の本体部、第２の凸部及び第２の凹部の一例である。また、幅方向は連結方向と直行し、連結方向と交差する方向の一例である。
【００３７】
図４に示すように、凸部３１２は、接続部３１４と係止部３１５とから構成される。接続部３１４は、矩形状を有し、接続部３１４の厚み方向の長さＨ０は、本体部３１１の厚み方向の長さより小さい。
【００３８】
また、係止部３１５は、三角形状を有し、接続部３１４を介して本体部３１１に接続されている。係止部３１５の厚み方向の最大長さＨｍ（即ち、三角形状の係止部３１５の底辺の長さに相当）は、接続部３１４の厚み方向の長さＨ０より大きい。これにより、凹部に凸部が挿入されて研磨部材３１０，３２０，３３０が連結されたときに、連結方向に研磨部材３１０，３２０，３３０が分離することを抑制することができる。
【００３９】
実施の形態２では、係止部３１５は、三角形状を有するが、実施の形態１で説明した研磨部材１１０の凸部１１２と同様に台形状、又は変形例１で説明した研磨部材２１０の係止部２１５と同様に円形状に形成してもよい。係止部の厚み方向の最大長さＨｍが、接続部の厚み方向の長さＨ０より大きければ、係止部の形状は問わない。即ち、係止部の形状は、三角形状、円形状、台形状に限られず、矩形状、多角形状でもよい。
【００４０】
（効果等）
実施の形態２のペット用爪とぎボード３００においても、実施の形態１で説明したペット用爪とぎボード１００，２００と同様の効果を奏する。さらに、ペット用爪とぎボード３００においては、複数の研磨部材を幅方向から挿入して連結させるので、猫等のペットが爪を研ぐとき、一部の研磨部材が幅方向に浮き上がることを抑制することができる。
【００４１】
（他の実施の形態）
本開示の技術的思想を逸脱しない範囲で、上述の実施の形態に対して、適宜、変更、置き換え、付加、省略などを行うことが可能である。また、上述の実施の形態で説明した各構成要素を組み合わせて、新たな実施の形態とすることも可能である。
【００４２】
上記実施の形態では、ペット用爪とぎボード１００，２００，３００の連結方向における端部がケース２０の壁面に当接しケース２０に対するペット用爪とぎボード１００，２００，３００の連結方向の移動を抑制する例を説明した。ケース２０に対するペット用爪とぎボード１００，２００，３００の幅方向の移動を抑制するために、ケース２０の側面に、研磨部材の幅方向側面に部分的に当接する突起又はストッパーを形成してもよい。また、ケース２０に対するペット用爪とぎボード１００，２００，３００の厚み方向の移動を抑制するために、ケース２０に、研磨部材の研磨面４０に部分的に当接する突起又はストッパーを形成してもよい。
【００４３】
また、上記実施の形態では、ペット用爪とぎボード１００，２００，３００をケース２０に装着してペット用爪とぎ器を構成する例を説明したが、ケースは上記実施の形態で示したケース２０に限られず、ペット用爪とぎボード１００，２００，３００を挿入できるケースであれば、種類は問わない。この場合、ペット用爪とぎボード１００，２００，３００が装着されるケースの底面に形成された研磨部材に突き刺さる突起又はストッパーによりケースに対する研磨部材の移動を抑制することができる。
【産業上の利用可能性】
【００４４】
本開示のペット用爪とぎボード及びペット用爪とぎ器は、猫等のペットに爪を研がせるときに用いられる。
【符号の説明】
【００４５】
１０    ペット用爪とぎ器
２０    ケース
３０    隙間
４０    研磨面
１００，２００，３００    ペット用爪とぎボード
１１０，１２０，１３０，２１０，２２０，２３０，３１０，３２０，３３０    研磨部材
１１１，１２１，１３１，２１１，２２１，２３１，３１１，３２１，３３１    本体部
１１２，１２２，１３２，２１２，２２２，２３２，３１２，３２２，３３２    凸部
１１３，１２３，１３３，２１３，２２３，２３３，３１３，３２３，３３３    凹部
２１４，２２４，２３４，３１４，３２４，３３４    接続部
２１５，２２５，２３５，３１５，３２５，３３５    係止部
【図１】
2020198838.tif 000003
【図２】
2020198838.tif 000004
【図３】
2020198838.tif 000005
【図４】
2020198838.tif 000006
【手続補正書】
【提出日】令和2年7月1日(2020.7.1)
【手続補正１】
【補正対象書類名】明細書
【補正対象項目名】００１６
【補正方法】変更
【補正の内容】
【００１６】
研磨部材１１０の凹部１１３に研磨部材１２０の凸部１２２を厚み方向から挿入し、凹部１１３と凸部１２２とが係合することにより、研磨部材１１０と研磨部材１２０とが連結される。同様に、研磨部材１２０の凹部１２３に研磨部材１３０の凸部１３２を厚み方向から挿入することにより、研磨部材１２０と研磨部材１３０とが連結される。このように、研磨部材１１０、研磨部材１２０及び研磨部材１３０が連結されることにより、ペット用爪とぎボード１００が構成される。ここで、研磨部材１１０、本体部１１１、凸部１１２及び凹部１１３がそれぞれ第１の研磨部材、第１の本体部、第１の凸部及び第１の凹部の一例であるとき、研磨部材１２０、本体部１２１、凸部１２２及び凹部１２３はそれぞれ第２の研磨部材、第２の本体部、第２の凸部及び第２の凹部の一例である。また、研磨部材１２０、本体部１２１、凸部１２２及び凹部１２３がそれぞれ第１の研磨部材、第１の本体部、第１の凸部及び第１の凹部の一例であるとき、研磨部材１３０、本体部１３１、凸部１３２及び凹部１３３はそれぞれ第２の研磨部材、第２の本体部、第２の凸部及び第２の凹部の一例である。また、厚み方向は、連結方向と直交し、連結方向と交差する方向の一例である。
【手続補正２】
【補正対象書類名】明細書
【補正対象項目名】００３６
【補正方法】変更
【補正の内容】
【００３６】
研磨部材３１０の凹部３１３に研磨部材３２０の凸部３２２を、幅方向から挿入することにより、研磨部材３１０と研磨部材３２０とが連結される。同様に、研磨部材３２０の凹部３２３に研磨部材３３０の凸部３３２を、厚み方向から挿入することにより、研磨部材３２０と研磨部材３３０とが連結される。このように、研磨部材３１０、研磨部材３２０及び研磨部材３３０が連結されることにより、ペット用爪とぎボード３００が構成される。この点、凹部に凸部を厚み方向から挿入することにより、複数の研磨部材が連結される実施の形態１で説明したペット用爪とぎボード１００，２００と異なる。ここで、研磨部材３１０、本体部３１１、凸部３１２及び凹部３１３がそれぞれ第１の研磨部材、第１の本体部、第１の凸部及び第１の凹部の一例であるとき、研磨部材３２０、本体部３２１、凸部３２２及び凹部３２３はそれぞれ第２の研磨部材、第２の本体部、第２の凸部及び第２の凹部の一例である。また、研磨部材３２０、本体部３２１、凸部３２２及び凹部３２３がそれぞれ第１の研磨部材、第１の本体部、第１の凸部及び第１の凹部の一例であるとき、研磨部材３３０、本体部３３１、凸部３３２及び凹部３３３はそれぞれ第２の研磨部材、第２の本体部、第２の凸部及び第２の凹部の一例である。また、幅方向は連結方向と直交し、連結方向と交差する方向の一例である。
【手続補正３】
【補正対象書類名】特許請求の範囲
【補正対象項目名】全文
【補正方法】変更
【補正の内容】
【特許請求の範囲】
【請求項１】
研磨面を有する第１の本体部、第１の凸部、及び第１の凹部を有する第１の研磨部材と、
第２の本体部、第２の凸部、及び第２の凹部を有し、前記第１の研磨部材と実質的に同一の形状を有する第２の研磨部材と、を備え、
前記第１の凹部と前記第２の凸部とが係合することにより、前記第１の研磨部材と前記第２の研磨部材とが連結されて構成される、ペット用爪とぎボードであって、
前記第１の凹部は、前記研磨面と直交する厚み方向に前記第１の本体部を貫通し、
前記第１の研磨部材と前記第２の研磨部材とが連結される連結方向及び前記厚み方向と直交する幅方向における前記第１の凸部の最大長さが、前記幅方向における前記第１の凸部と前記第１の本体部との接続部分の長さより大きい、
ペット用爪とぎボード。
【請求項２】
研磨面を有する第１の本体部、第１の凸部、及び第１の凹部を有する第１の研磨部材と、
第２の本体部、第２の凸部、及び第２の凹部を有し、前記第１の研磨部材と実質的に同一の形状を有する第２の研磨部材と、を備え、
前記第１の凹部と前記第２の凸部とが係合することにより、前記第１の研磨部材と前記第２の研磨部材とが連結されて構成される、ペット用爪とぎボードであって、
前記第１の凹部は、前記研磨面から離間し、前記第１の研磨部材と前記第２の研磨部材とが連結される連結方向と直交する幅方向に前記第１の本体部を貫通し、
前記連結方向及び前記幅方向と直交する厚み方向における前記第１の凸部の最大長さが、前記厚み方向における前記第１の凸部と前記第１の本体部との接続部分の長さより大きい、
ペット用爪とぎボード。
【請求項３】
請求項１又は２に記載のペット用爪とぎボードと、
前記ペット用爪とぎボードが組み込まれるケースと、を備え、
前記ケースと前記第１の本体部との間に隙間を有する、
ペット用爪とぎ器。